(57)【要約】【課題】光学式情報記憶媒体の再生不能化処理を高効率で、且つクリーンな作業環境で実施する。【解決手段】ＴＥ１０モ−ドのマイクロ波だけが伝送可能としたマイクロ波伝送路２と、マイクロ波を供給するマイクロ波発振器３と、マイクロ波伝送路２の他側の相対した位置に光学式情報記憶媒体１のマイクロ波伝送路２の入口、出口となるスリット４と、このスリット４の周辺に光学式情報記憶媒体１をスリット４へ導くガイド６を備え、このガイド６に設けた穴を通して回転速度が可変できるローラ８と、光学式情報記憶媒体１のラベルを削り取る刃付きローラ９ａ、９ｂを設ける。【選択図】　図１
2004055022.tif 000002
【特許請求の範囲】
【請求項１】
長手方向の両端面（２ａ）、（２ｂ）が短絡された矩形状のマイクロ波伝送路（２）と、このマイクロ波伝送路（２）の一側に設けられたマイクロ波を供給するマイクロ波発振器（３）と、このマイクロ波発振器（３）を動作させる電源（５）とを備え、前記マイクロ波伝送路（２）をＴＥ１０モ−ドのマイクロ波だけが伝送可能とし、このマイクロ波伝送路（２）の他側の相対した位置にスリット（４）を備え、さらにスリット（４）の周囲に光学式情報記憶媒体（１）をスリット（４）に導き、かつ、マイクロ波伝送路（２）を経てもう一方のスリット（４）から抜ける光学式情報記憶媒体（１）を外部に導く中空のガイド（６）と、このガイド（６）に開けられた穴を通して光学式情報記憶媒体（１）を両面から挟み込むように設け、光学式情報記憶媒体（１）を移動させるローラ（８）と、このローラ（８）と同じようにガイド（６）に開けられた穴を通して光学式情報記憶媒体（１）の両面から挟み込むように設け、光学式情報記憶媒体（１）のラベル面を削り取る刃付きローラ（９ａ）、（９ｂ）を設けたことを特徴とするマイクロ波処理装置。
【発明の詳細な説明】
【０００１】
【発明の属する技術分野】
本発明は、コンパクトデスク等の光学式情報記憶媒体の情報記憶面を破壊して、情報記憶の読み出しを不能とするマイクロ波処理装置に関するものである。
【０００２】
【従来の技術】
従来、不要となったコンパクトデスク等の光学式情報記憶媒体は不正な使用や販売を防止する必要があるため、光学式情報記憶媒体の情報記憶面を機械的に傷を付けたり、あるいは光学式情報記憶媒体を切断したりすることにより情報記憶面を破壊して、記憶している情報を読みとれないようにしていたものであった。
【０００３】
また、特開平１０−１７２１４８号公報で開示しているように、光学式情報記憶媒体の情報記憶面を破壊するため、光学式情報記憶媒体を処理室に載置し、この処理室にマイクロ波を照射して光学式情報記憶媒体の情報記憶面をマイクロ波のエネルギーで破壊したり、あるいは光学式情報記憶媒体の処理室を貫通するコンベアを設け、このコンベアに光学式情報記憶媒体を載置し、連続的に処理室に運び込み、この処理室でマイクロ波を照射してマイクロ波のエネルギーで光学式情報記憶媒体を破壊するものがあった。
【０００４】
【発明が解決しようとする課題】
上記従来の技術にあっては、光学式情報記憶媒体の機械的処理では、光学式情報記憶媒体のベース材料であるポリカーボネート等のプラスチック材が粉状になったり、破片が飛散したりする。また、導電膜の材料である金属粉も飛散して作業環境が悪くなり、しかも処理時間も長くかかるなどの問題があった。
【０００５】
また、光学式情報記憶媒体の処理室にマイクロ波を導入する処理方法では、波長に対して数倍大きな寸法を持つ処理室にマイクロ波電力を導入するために、単一モード電磁界を発生させることが困難である。
【０００６】
従って、処理室内は多モードの電磁界分布となるので光学式情報記憶媒体を破壊するための十分なマイクロ波電力エネルギーが得られない。さらには、マイクロ波伝送路が直角に曲がるなど構造が複雑になるので、マイクロ波伝送路に反射が多くなりマイクロ波伝送効率も低下する。また他の一実施例として述べられているコンベア方式では構造が大型化するなどの問題点があった。
【０００７】
また、光学式情報記憶媒体の表面に印刷してあるラベルにはどの様なデータであるかを記載してあるものがあり、情報記憶面だけの破壊では不十分でラベルに記載されている文字なども判読不能にする必要があった。
【０００８】
【課題を解決するための手段】
上記課題を解決するために本発明では、長手方向の両端面が短絡された矩形状のマイクロ波伝送路と、前記マイクロ波伝送路の一側に設けられたマイクロ波を供給するマイクロ波発振器と、このマイクロ波発振器を動作させる電源とを備え、このマイクロ波伝送路をＴＥ１０モ−ドのマイクロ波だけが伝送可能とし、このマイクロ波伝送路の他側の相対した位置にスリットを備え、さらにスリットの周囲に光学式情報記憶媒体をスリットに導き、かつ、マイクロ波伝送路を経てもう一方のスリットから抜ける光学式情報記憶媒体を外部に導く中空のガイドと、このガイドに開けられた穴を通して光学式情報記憶媒体を両面から挟み込むように設け、光学式情報記憶媒体を移動させるローラと、このローラと同じようにガイドに開けられた穴を通して光学式情報記憶媒体の両面から挟み込むように設け、光学式情報記憶媒体のラベル面を削り取る刃付きローラを設けたものである。
【０００９】
【発明の実施の形態】
以下本発明の一実施例を図１から図５により説明する。
【００１０】
図１は本発明の一実施例におけるマイクロ波処理装置で、１はコンパクトデスクで代表される光学式情報記憶媒体である。２は長手方向の両端面２ａ、２ｂが短絡された矩形状のマイクロ波伝送路で、金属製の中空導体からできている。３はマイクロ波を発生するマイクロ波発振器で、そのマイクロ波発振部３ａがマイクロ波伝送路２内に臨むようにマイクロ波伝送路２の上面２ｃの一側に取り付けられている。
【００１１】
４はマイクロ波伝送路２の他側の二つの面に設けられたスリットである。このスリット４は、図１のＡ−Ａ部の断面を表す図２で示すように、マイクロ波伝送路２の上面２ｃに設けられたスリット４ａと、このスリット４ａと相対する下面２ｄに設けられたスリット４ｂとで構成されており、このスリット４には光学式情報記憶媒体１が挿入される。
【００１２】
５はマイクロ波発振器３を動作させる電源である。６ａは上ガイドで、貫通した中空の構成になっていて、光学式情報記憶媒体１がこの貫通した中空を進み、スリット４ａにスムーズに導くことができるようにスリット４ａの真上に設けられている。
【００１３】
６ｂは下ガイドで、貫通した中空の構成になっていて、光学式情報記憶媒体１がマイクロ波伝送路２の下面２ｄ側のスリット４ｂから抜けたとき外部に誘導するものである。従ってスリット４ｂの真下に設けられている。これら上ガイド６ａと下ガイド６ｂを総称してガイド６と称する。
【００１４】
８ａ、８ｂ、８ｃ、８ｄはローラで、上ガイド６ａに設けられた穴（図示せず）を通して上ガイド６ａを通過する光学式情報記憶媒体１を両面から挟み込むように設けられている。すなわち、図１と図２及び図２のＤ−Ｄ部の断面を表す図３に示すようにローラ８ａ、８ｂは同じ側に設けられ、また、ローラ８ｃ、８ｄは同じ側でかつ、光学式情報記憶媒体１を介してローラ８ａ、８ｂの反対側に設けられている。そして、ローラ８ａとローラ８ｃ及びローラ８ｂとローラ８ｄは光学式情報記憶媒体１が通過するとき挟み込むように設けられている。
【００１５】
次に、８ｅ（図示せず）、８ｆ、８ｇ、８ｈはローラ８ａなどと同じ形状、仕様のローラで、下ガイド６ｂに設けられた穴（図示せず）を通して下ガイド６ｂを通過する光学式情報記憶媒体１を両面から挟み込むように上記で説明したローラ８ａ〜８ｄと同じ構成で設けられている。すなわち、ローラ８ｅ、８ｆは同じ側に設けられ、また、ローラ８ｇ、８ｈは同じ側でかつ、光学式情報記憶媒体１を介してローラ８ｅ、８ｆの反対側に設けられている。そして、ローラ８ｅ（図示せず）とローラ８ｇ及びローラ８ｆとローラ８ｈは光学式情報記憶媒体１を挟み込むよう設けられている。上記のローラ８ａ〜ローラ８ｈを総称してローラ８と称する。
【００１６】
以上説明したローラ８は光学式情報記憶媒体１を移動させるためのもので、モータ（図示せず）と連動し、ローラ８が回転することにより光学式情報記憶媒体１をスリット４ａ側からスリット４ｂ側へと移動させる。また、前記モータの回転速度を可変することにより光学式情報記憶媒体１の移動速度を可変することができる構成となっている。
【００１７】
９ａ、９ｂは螺旋状の刃がローラの表面に形取られている刃付きローラで、下ガイド６ｂに設けられた穴（図示せず）を通して下ガイド６ｂを通過する光学式情報記憶媒体１を両面から挟み込むように設けられている。
【００１８】
この刃付きローラ９ａ、９ｂはモータ（図示せず）と連動している。従って前記モータの回転速度を変えることにより刃付きローラ９ａ、９ｂの回転速度を変えることができる構成となっている。
【００１９】
図４は図１におけるマイクロ波伝送回路２のＢ−Ｂ部の断面図で、Ｗは長辺で、Ｈは短辺である。これら長辺Ｗおよび短辺Ｈの長さはＴＥ１０モードの基本マイクロ波が伝送される長さに選ばれる。供給されるマイクロ波の周波数は２４５０ＭＨｚであるので、ＴＥ１０モードが伝送されるには長辺Ｗの長さは約６１ｍｍ以上１２２ｍｍ以下の寸法にする必要がある。
【００２０】
本実施例では長辺Ｗは上記寸法範囲内の１０９ｍｍに選んでいる。また短辺Ｈの長さは、この方向にＴＥ１０モードが発生しないようにするためマイクロ波の半波長以下にする必要がある。しかし、マイクロ波が光学式情報記憶媒体１に照射される面積をできる限り大きくとるために、本実施例では短辺Ｈの長さを５４ｍｍに選んでいる。
【００２１】
次に、スリット４の幅ｔは光学式情報記憶媒体１の厚みより大きくする必要があるが、スリット４を通してマイクロ波がマイクロ波伝送路２から外部へ漏洩しないように４ｍｍ以下としている。
【００２２】
また、スリット４の長さＬはマイクロ波伝送路２の一側の端面２ａから他側の端面２ｂ方向（給電側方向）に向かって約１５ｍｍの位置に光学式情報記憶媒体１の直径約１２０ｍｍより長い約１４０ｍｍとしている。
【００２３】
スリット４の長辺Ｗ方向の位置は、長辺Ｗの中央にスリット４の幅ｔの中央が位置するように設定されている。
【００２４】
図５は図１の上ガイド６ａの断面Ｃ―Ｃ部で、光学式情報記憶媒体１が通る上ガイド６ａの中空になっている下部の開口の幅ｔ１はスリット４の開口形状の寸法とほぼ同等か少し狭くし、光学式情報記憶媒体１がスムーズにスリット４に挿入できるようにする。
【００２５】
また、この上ガイド６ａの上部の開口の幅ｔ２はスリット４の幅より大きくして光学式情報記憶媒体１を挿入しやすくする。高さｈは光学式情報記憶媒体１の半径とほぼ同寸法か若干大きめがよいが、このような高さに限定するものではない。
【００２６】
次に、ガイド６の材質は光学式情報記憶媒体１の挿入時にマイクロ波がマイクロ波伝送路２から漏洩する場合があるため金属製より誘電体の方が望ましい。
【００２７】
次に、上記にて構成された本発明の作用について説明する。
【００２８】
光学式情報記憶媒体１をマイクロ波処理するには、光学式情報記憶媒体１を中空になっている上ガイド６ａに投入する。するとすぐモータ（図示せず）が回転しローラ８ａも回転する。光学式情報記憶媒体１は自然落下し、この先端がマイクロ波伝送路２の入口部付近にある回転するローラ８ａ、８ｂとローラ８ｃ、８ｄに達し、光学式情報記憶媒体１がローラ８ａ、８ｂ、８ｃ、８ｄに挟まれると、ローラ８ａ、８ｂ、８ｃ、８ｄの回転スピードに合わせ進行し、スリット４ａへ達する。スリット４ａの幅は上記で説明したように約４ｍｍと狭いが、上ガイド６ａとローラ８ａ、８ｂ、８ｃ、８ｄの誘導によりスムーズにマイクロ波伝送路２に導かれ、この場所で光学式情報記憶媒体１はマイクロ波に照射される。
【００２９】
ここで、光学式情報記憶媒体１について説明する。この光学式情報記憶媒体１の代表であるコンパクトデスクはポリカーボネートなどのプラスチック製透明基板表面に信号ピットやトラッキングサーボのための案内溝となる凹凸パターンが形成されている。透明基板の溝形成面にはＡｌなどの金属薄膜からなる反射膜が形成され、さらに反射膜の上にはＡｌ２Ｏ３などの絶縁膜からなる保護層が形成された構成となっている。
【００３０】
スリット４ａからマイクロ波伝送路２に入った光学式情報記憶媒体１はマイクロ波により破壊されるが、この光学式情報記憶媒体１がマイクロ波により破壊されるメカニズムについて説明する。
【００３１】
マイクロ波発振器３で発生したマイクロ波がマイクロ波発振部３ａからマイクロ波伝送路２を通ってその短絡面２ａ付近のスリット４に挿入された光学式情報記憶媒体１に照射されと光学式情報記録媒体１の反射膜に瞬間的に過大な高周波表面電流が誘導され、反射膜がこれにより破壊される。
【００３２】
ここで、マイクロ波伝送路２のスリット４ａ、４ｂをマイクロ波伝送路２の上面２ｃと下面２ｄの長辺Ｗの中央に管軸方向に設けているのは、マイクロ波理論から明らかなように、このような位置と方向にスリット４を設ければマイクロ波伝送路２に発生する表面電流の流れをスリット４が遮断しないので、マイクロ波発振器３で発生したマイクロ波がマイクロ波発振部３ａからスリット４を通って外部に漏洩しないからである。
【００３３】
また、光学式情報記憶媒体１をマイクロ波伝送路２の長辺Ｗの中央に設けたスリット４を移動させマイクロ波処理するのは、この位置と方向がマイクロ波伝送路２で電界強度、変位電流ともに大きな領域であるため、この領域に光学式情報記憶媒体１を通過させれば変位電流の作用により金属薄膜からなる反射膜に過大な高周波表面電流が誘起され、さらに強度な電界の作用によりスパークを発生させてこれを破壊してしまうからである。
【００３４】
このようにして破壊された光学式情報記憶媒体１はスリット４ｂを通りマイクロ波伝送路２を抜けると、下ガイド６ｂに誘導され、回転しているローラ８ｅ、８ｆ、８ｇ、８ｈに挟み込まれ進行し、刃付きローラ９ａ、９ｂへと移動する。
【００３５】
次に、刃付きローラ９ａ、９ｂの動作について説明する。破壊された光学式情報記憶媒体１はローラ８に挟まれ移動し、刃付きローラ９ａ、９ｂに達する。刃付きローラ９ａ、９ｂはローラ８の回転速度より早く回転させ、移動する光学式情報記憶媒体１の表面を刃付きローラ９ａ、９ｂの螺旋形の刃で削るように回転を行い、この回転する刃によって光学式情報記憶媒体１の表面に印刷されたラベルが削り取られる。
【００３６】
また、光学式情報記憶媒体１のラベルは、マイクロ波伝送路１内で情報記憶媒体１の導電膜がスパークで破壊され、その導電膜の上に有るラベルを印刷してある層が非常に脆くなっているため、簡単に削り取ることができる。
【００３７】
その後処理された光学式情報記憶媒体１はガイド６ｂ外に放出され一連の動作は完了する。
【００３８】
次に、光学式情報記憶媒体１がマイクロ波伝送路２を通過する動作について説明する。光学式情報記憶媒体１の重量は１枚当たり約２０ｇであり、光学式情報記憶媒体１の自重だけの自然落下ではマイクロ波伝送路２を通過する時間が約１秒以下と短い。従って、自然落下における光学式情報記憶媒体１の情報記憶面の破壊率は約５０％である。
【００３９】
そこで、光学式情報記憶媒体１の情報記憶面の破壊割合を増大させ、より完璧に破壊させる必要がある。この対応として光学式情報記憶媒体１がマイクロ波伝送路２を通過する速度を調節するためローラ８の回転速度を決める。ローラ８の回転速度は、光学式情報記憶媒体１の材質、表面処理などにより変わるため、予め光学式情報記憶媒体１の破壊状態を確認して決める。
【００４０】
このように、ガイド６とローラ８を設けてスムーズに光学式情報記憶媒体１をマイクロ波密度の大きいＴＥ１０モードのマイクロ波が存在しているマイクロ波伝送路２に導き、マイクロ波により光学式情報記憶媒体１の情報記憶面が破壊することができる。
【００４１】
さらに、光学式情報記憶媒体１の表面を刃付きローラ９ａ、９ｂの螺旋形の刃で削るように回転を行い、この回転する刃によって光学式情報記憶媒体１の表面に印刷されたラベルを削り取る。
【００４２】
【発明の効果】
以上説明したように、本発明によれば、長手方向の両端面が短絡された矩形状のマイクロ波伝送路と、前記マイクロ波伝送路の一側に設けられたマイクロ波を供給するマイクロ波発振器と、このマイクロ波発振器を動作させる電源とを備え、このマイクロ波伝送路をＴＥ１０モ−ドのマイクロ波だけが伝送可能とし、このマイクロ波伝送路の他側の相対した位置にスリットを備え、さらにスリットの周囲に光学式情報記憶媒体をスリットに導き、かつ、マイクロ波伝送路を経てもう一方のスリットから抜ける光学式情報記憶媒体を外部に導く中空のガイドと、このガイドに開けられた穴を通して光学式情報記憶媒体を両面から挟み込むように設け、光学式情報記憶媒体を移動させるローラと、このローラと同じようにガイドに開けられた穴を通して光学式情報記憶媒体の両面から挟み込むように設け、光学式情報記憶媒体のラベル面を削り取る刃付きローラを設けたることのより、光学式情報記憶媒体はガイドによりスムーズにスリットからマイクロ波伝送路に送り込まれ、ここでマイクロ波のエネルギーで光学式情報記憶媒体の情報記憶面を破壊し、情報記憶の読み出しを不能とすることができる。
【００４３】
また、スリットに設けたローラの回転により光学式情報記憶媒体のマイクロ波伝送路内での通過速度を制御して、光学式情報記憶媒体の情報記憶面をより一層強く破壊させることができる。
【００４４】
さらに、ローラ表面に螺旋形の刃が設けられている刃付きローラの回転により光学式情報記憶媒体の表面に印刷してあるラベルを削り取ることができるため、どの様なデータが記録された光学式情報記憶媒体であるかを判らなくすることができるためより安心して廃棄することができる。
【００４５】
また、光学式情報記憶媒体の破片などの飛び散りがないためクリーンな作業環境で光学式情報記憶媒体を破壊処理することができるなどの効果がある。
【図面の簡単な説明】
【図１】本発明の一実施例のマイクロ波処理装置の構成図である。
【図２】図１におけるＡ−Ａ部の断面図である。
【図３】図２におけるＤ−Ｄ部の断面図である。
【図４】図１におけるＢ−Ｂ部のマイクロ波発振器をマイクロ波伝送路に取り付けた断面図である。
【図５】図１におけるＣ−Ｃ部の上ガイドの断面図である。
【符号の説明】
１・・・光学式情報記憶媒体
２・・・マイクロ波伝送路
２ａ・・端面
２ｂ・・端面
３・・・マイクロ波発振器
４・・・スリット
５・・・電源
６・・・ガイド
８・・・ローラ
９ａ・・刃付きローラ
９ｂ・・刃付きローラ
【図１】
2004055022.tif 000003
【図２】
2004055022.tif 000004
【図３】
2004055022.tif 000005
【図４】
2004055022.tif 000006
【図５】
2004055022.tif 000007